(57)【特許請求の範囲】
【請求項１】
可動家具部品（１１）、特に引き出し又は家具フラップを移動するための駆動装置であって、
一方では、開放方向（ＯＲ）において閉塞位置（ＳＳ）から前記家具部品（１１）を排出するロック可能及びアンロック可能なバネ荷重式排出装置（８）として作用し、前記排出装置（８）のアンロックは、前記可動家具部品（１１）に対して閉塞方向（ＳＲ）の圧力をかけることにより作動され、
且つ、
他方では、前記閉塞位置（ＳＳ）に家具部品（１１）を引き戻すバネ荷重式引き戻し装置（９）として作用することを特徴とする、駆動装置（１０）であって、
同じバネ（１２）が、排出装置（８）としてのその機能及び引き戻し装置（９）としてのその機能の双方において前記駆動装置（１０）にバネ荷重を加える、駆動装置。
【請求項２】
前記バネ（１２）が、前記可動家具部品（１１）の開放又は閉塞による圧力印加の動程（ＳＷ）に沿って圧力の印加を受けることができ、且つ解放動程（ＥＷ）を有し、
バネ（１２）が、前記解放動程の第１の部分（ＥＷ１）において前記可動家具部品（１１）を引き戻し、且つ前記解放動程の第２の部分（ＥＷ２）において前記可動家具部品（１１）を排出する、請求項１に記載の駆動装置。
【請求項３】
前記バネ（１２）が、個々のバネである又はバネ束（１２、１２ａ）によって形成されている、請求項１又は請求項２に記載の駆動装置。
【請求項４】
前記可動家具部品（１１）の前記閉塞位置（ＳＳ）における前記バネ（１２）が、前記解放動程の前記第１の部分（ＥＷ１）と前記解放動程の前記第２の部分（ＥＷ２）との間において第１の中間バネ圧力（１）を有し（図４）、
前記家具部品（１１）の排出、及び前記解放動程の前記第２の部分（ＥＷ２）に沿った圧力の解放後に、前記バネ（１２）が、前記閉塞位置を離れた後に所定の排出間隔（ｙ）において、第２の実質的に解放されたバネ圧力（３）を有し（図７）、
前記家具部品（１１）の閉塞により、前記バネ（１２）が、前記圧力印加の動程（ＳＷ）に沿って圧力を印加され、前記閉塞位置（ＳＳ）に到達するまで所定の引き戻し間隔（ｘ）において、前記第１のバネ圧力に関して増加した第３のバネ圧力（７）に到達し（図１２）、
前記解放動程の前記第１の部分（ＥＷ１）に沿った圧力解放及び前記家具部品（１１）の自動引き戻しによって前記第３のバネ圧力（７）を発端として、前記バネ（１２）が前記第１のバネ圧力（１）へと解放される（図４）、
請求項２又は請求項３に記載の駆動装置。
【請求項５】
前記引き戻し間隔（ｘ）が前記排出間隔（ｙ）未満である、請求項４に記載の駆動装置。
【請求項６】
前記圧力印加の動程（ＳＷ）が前記解放動程の前記第２の部分（ＥＷ２）よりも長い、請求項４又は請求項５に記載の駆動装置。
【請求項７】
前記引き戻し装置（９）の引き戻し移動を減衰する減衰装置（１３）が設けられた、請求項１から請求項６のうちいずれか１項に記載の駆動装置。
【請求項８】
前記駆動装置（１０）が、前記可動家具部品（１１）の前記開放方向（ＯＲ）及び前記閉塞方向（ＳＲ）それぞれに、互いに対して移動可能な第１のベース要素（１４）及び第２のベース要素（１５）と、前記第１のベース要素（１４）に移動可能に、回動可能に取り付けられた制御要素（１６）と、前記制御要素（１６）に作用するバネ（１２）の形態の前記力蓄積手段と、前記制御要素（１６）に対して接続されたロック要素（１７）とを有し、
前記制御要素（１６）が、ロック及びアンロック経路（１９）のカージオイド状部（１８）においてロック要素（１７）によってガイドされ、前記第２のベース要素（１５）についての駆動要素（２０）が前記制御要素（１６）に配置されており、
前記第２のベース要素（１５）が、前記駆動要素（２０）についてのガイド経路（２１）であって、
前記第２のベース要素（１５）が前記駆動要素（２０）によって前記可動家具部品（１１）の前記開放方向（ＯＲ）において前記第１のベース要素（１４）に対して移動可能とされる排出部（Ａ）と、
前記駆動要素（２０）が前記開放方向（ＯＲ）において自由に移動可能とされる自走部（Ｂ）と、
前記駆動要素（２０）が前記制御要素（１６）に作用する前記バネ（１２）のバネ力（Ｆ）に抗して移動可能とされる圧力印加部（Ｃ）と、
前記駆動要素（２０）が前記バネ（１２）の部分的な圧力解放によって前記可動家具部品（１１）の前記閉塞方向（ＳＲ）において前記第１のベース要素（１４）に対して前記第２のベース要素（１５）を移動させる引き戻し部（Ｄ）と、
を有するガイド経路（２１）を有し、
前記ガイド経路（２１）の前記排出部（Ａ）、前記ロック要素（１７）及び前記駆動要素（２０）が、前記バネ（１２）とともに、前記ロック可能及びアンロック可能な排出装置（８）を形成し、前記ガイド経路（２１）の前記引き戻し部（Ｄ）が、前記駆動要素（２０）及び同じバネ（１２）とともに、前記引き戻し装置（９）を形成する、
請求項１から請求項７のうちいずれか１項に記載の駆動装置。
【請求項９】
前記バネ（１２）が前記中間バネ圧力（１）から前記第２のバネ圧力（３）まで前記排出部（Ａ）において解放され、
前記解放されたバネ圧力（３）が前記自走部（Ｂ）においても実質的に同一のままであり、
前記バネ（１２）が前記圧力印加部（Ｃ）において、前記解放されたバネ圧力（３）から前記増加したバネ圧力（７）まで圧力が印加され、
前記バネ（１２）が前記引き戻し部（Ｄ）において、前記増加したバネ圧力（７）から前記第１のバネ圧力（１）まで解放される、
請求項８に記載の駆動装置。
【請求項１０】
前記制御要素（１６）が前記第１のベース要素（１４）における２つの当接部（２３、２４）の間に、前記制御要素（１６）の移動を制限する制限突起（２２）を有する、請求項８又は請求項９に記載の駆動装置。
【請求項１１】
前記制御要素（１６）が前記第１のベース要素（１４）に対して回動可能に取り付けられている、請求項８から請求項１０のうちいずれか１項に記載の駆動装置。
【請求項１２】
前記ロック要素（１７）のためのカージオイド状部（１８）を有する前記ロック及びアンロック経路（１９）が前記第１のベース要素（１４）に設けられている、請求項８から請求項１１のうちいずれか１項に記載の駆動装置。
【請求項１３】
前記圧力印加部（Ｃ）において、前記ガイド経路（２１）が前記可動家具部品（１１）の閉塞によって前記バネ（１２）の前記バネ力（Ｆ）に抗して前記駆動要素（２０）を移動させる、請求項８から請求項１２のうちいずれか１項に記載の駆動装置。
【請求項１４】
前記第２のベース要素（１５）が、前記自走部（Ｂ）から他の自走部（Ｅ）内への前記駆動要素（２０）の開放移動を許容し、且つ閉塞移動において前記他の自走部（Ｅ）から前記圧力印加部（Ｃ）内へと前記駆動要素（２０）をガイドする、バネ荷重式移動スイッチ（２５）を有する、請求項８から請求項１３のうちいずれか１項に記載の駆動装置。
【請求項１５】
前記ロック要素（１７）が前記制御要素（１６）に対して回動可能に取り付けられている、請求項８から請求項１４のうちいずれか１項に記載の駆動装置。
【請求項１６】
前記排出部（Ａ）が前記開放方向（ＯＲ）に対して実質的に横断方向に延在し、前記自走部（Ｂ）が実質的に前記開放方向（ＯＲ）に延在し、前記圧力印加部（Ｃ）が前記開放方向（ＯＲ）に対して１０°から７０°の間、望ましくは２０°から５０°の間の角度領域（α）を少なくとも有し、前記引き戻し部（Ｄ）が前記開放方向（ＯＲ）に対して１３０°から１７０°の間、望ましくは１４０°から１６０°の間の角度領域（β）を少なくとも有する、請求項８から請求項１５のうちいずれか１項に記載の駆動装置。
【請求項１７】
前記ガイド経路（２１）の前記部分（Ｂ、Ｃ）のうちの少なくとも１つが少なくとも部分的に曲線をなして延在している、請求項１６に記載の駆動装置。
【請求項１８】
前記圧力印加部（Ｃ）と前記引き戻し部（Ｄ）との間の遷移が前記引き戻し間隔（ｘ）に相当し、そこで前記バネ（１２）が前記最大バネ圧力（７）に到達する、請求項８から請求項１７のうちいずれか１項に記載の駆動装置。
【請求項１９】
前記圧力印加部（Ｃ）及び前記引き戻し部（Ｄ）が、前記開放方向（ＯＲ）に対して横断方向に前記自走部（Ｂ）から離隔されており、
前記自走部（Ｂ）に対する双方の前記部分（Ｃ、Ｄ）の最大間隔（ｚ）が、前記所定の引き戻し間隔（ｘ）におけるものである、
請求項８から請求項１８のうちいずれか１項に記載の駆動装置。
【請求項２０】
前記第１のベース要素（１４）が前記可動家具部品（１１）に付随し、且つ前記第２のベース要素（１５）が、その上又はその内部に家具部品が移動可能に取り付けられる家具カーカス（２６）に付随する、請求項８から請求項１９のうちいずれか１項に記載の駆動装置。
【請求項２１】
前記ロック要素（１７）が前記駆動要素（２０）と一体的に形成されている、請求項２０に記載の駆動装置。
【請求項２２】
前記バネ（１２）が脚バネの形であり、
１つの脚（２７）が前記第１のベース要素（１４）に作用し、且つ１つの脚（１８）が前記制御要素（１６）に作用する、
請求項２０又は請求項２１に記載の駆動装置。
【請求項２３】
前記第１のベース要素（１４）が前記家具カーカス（２６）に付随し、且つ前記第２のベース要素（１５）が前記可動家具部品（１１）に付随する、請求項８から請求項１９のうちいずれか１項に記載の駆動装置。
【請求項２４】
前記制限突起（２２）が前記駆動要素（２０）を形成している、請求項２３に記載の駆動装置。
【請求項２５】
前記バネ（１２）が、一端が前記第１のベース要素（１４）において保持され、且つ他端が前記制御要素（１６）に固定されたコイルバネの形態である、請求項２３又は請求項２４に記載の駆動装置。
【請求項２６】
請求項１から請求項２５のうちいずれか１項に記載の駆動装置（１０）を有する引き出しの形の可動家具部品（１１）用の引き出し延伸ガイド（２９）。
【請求項２７】
引き出しレール（３０）及びカーカスレール（３１）を備え、
前記第１のベース要素（１４）が、前記カーカスレール（３１）上に配置され、前記第２のベース要素（１５）が、前記引き出しレール（３０）上に配置されている、請求項２６に記載の引き出し延伸ガイド。
【請求項２８】
家具カーカス（２６）及び可動家具部品（１１）を備え、
請求項１から請求項２５のうちいずれか１項に記載の駆動装置（１０）が設けられている、家具品（３２）。
【請求項２９】
前記第１のベース要素（１４）が、前記可動家具部品（１１）上、引き出し底部（３３）の下面（Ｕ）に配置されており、前記第２のベース要素（１５）が、前記家具カーカス（２６）上、前記家具カーカス（２６）に固定された引き出し延伸ガイド（２９）のカーカスレール（３１）上に配置されている、請求項２８に記載の家具品。
【請求項３０】
前記第１のベース要素（１４）が、前記家具カーカス（２６）上、前記家具カーカス（２６）に固定された引き出し延伸ガイド（２９）のカーカスレール（３１）上に配置されており、前記第２のベース要素（１５）が、前記可動家具部品（１１）上、前記家具部品（１１）に付随する前記引き出し延伸ガイド（２９）の引き出しレール（３０）上に配置されている、請求項２８に記載の家具品。
【発明の詳細な説明】
【技術分野】
【０００１】
本発明は、可動家具部品、特に引き出しを動かすための駆動装置に関する。本発明はさらに、そのような駆動装置を有する引き出し延伸ガイドと、そのような駆動装置を有する家具品とに関する。
【背景技術】
【０００２】
引き出しやドロップドア等の可動家具部品用のいわゆるタッチラッチ機構は、かねてより、従来技術から既に知られている。タッチラッチ機構は、ユーザによって閉塞方向へと可動家具部品に対して圧迫が加えられた後における可動家具部品の自動開放を含む。そのような開放移動を実行する別個のスイッチもまた、時として設けられる。可動家具部品に対して加えられるその追加の圧迫は排出装置を始動させ、そして、力蓄積手段が解除されることによって可動家具部品が開放方向に家具カーカス（carcass；家具の枠組）から排出される。ほとんどの場合、対応する排出装置は、引き出し底部の真下か又は引き出しの背後に配置される。
【０００３】
可動家具部品の閉塞を容易にする又は改善する機構もまた、かねてより、先端技術から既に知られている。その点に関して様々なバージョン（型）の引き戻し装置があり、これにより、可動家具部品が閉塞移動の最後の領域におよんで（一般には数センチメートル）自動的に引っ張られ、引き出し又は可動家具部品がしっかりと閉塞されるのを保証する。
【０００４】
排出装置及び引き戻し装置の双方を示す刊行物の例は、本特許出願人による国際公開第２００７／０２８１７７号である。その明細書に由来する２つの図面が図１５及び図１６として本明細書において示されている。それらは、一方では構造ユニットとしての排出装置８を示している。引き出しレール３０とカーカスレール３１との間において第２の別個の構造ユニットとして示されているのは引き戻し装置９であり、閉塞方向ＳＲにおけるカーカスレール３１に対する引き出しレール３０の閉塞移動を実施する。その場合、引き戻し装置９は、引き戻し動作が満足のいくように実施されるように、それ自体のバネ、それ自体のハウジング、及び全てのさらなる引っ張り部材等をその内部に一体化して有しなければならない。さらに、その明細書は、引き戻し装置９のための減衰装置１３を示している。
【０００５】
その公知の構造による不都合は、一方では排出を、他方では引き戻しを実行することができるように、２つの別個の独立した高価な構造ユニットが延伸ガイドの領域に設けられる必要があるということである。さらに先端技術においては、開放又は閉塞による移動を生み出すときに困難をユーザが感ずることなくバネの圧力印加をもたらすように、多くの場合、比較的複雑にされる。
【先行技術文献】
【特許文献】
【０００６】
【特許文献１】国際公開第２００７／０２８１７７号
【発明の概要】
【発明が解決しようとする課題】
【０００７】
本発明の目的は、先端技術が改善された駆動装置を提供することである。特に、本発明は、排出装置及び引き戻し装置をできる限り１つの構造ユニットに組み合わせ、必要とされる部品がより少ないようになすよう、努める。
【課題を解決するための手段】
【０００８】
その目的は、駆動装置が、一方では、閉塞位置から開放方向に家具部品を排出するロック可能且つアンロック（解除）可能なバネ荷重式排出装置として作用し、他方では、閉塞位置に家具部品を引き戻すバネ荷重式引き戻し装置として作用し、同じバネが、排出装置としてのその動作と引き戻し装置としてのその動作との双方において駆動装置にバネ荷重付与する、という請求項１の分類部の特徴とともに達成される。そのような設計形態のおかげで、バネは、排出装置の排出移動を生み出すための作用と、引き戻し装置の引き戻し移動を生み出すための作用との双方を提供する。その点に関して、バネは、圧縮又は引張バネの形態とすることができる。その点に関して、バネという用語は、ガス圧力バネの形態の力蓄積手段もまた包含する。基本的に、バネは磁気バネの形態とすることもできる。
【０００９】
排出装置及び引き戻し装置についてできる限り簡便である圧力印加プロセスを実装するために、望ましくは、可動家具部品の開放又は閉塞による圧力印加動程に沿ってバネに圧力印加することができ、且つバネが解放動程を有し、解放動程の第１の部分において可動家具部品を引き戻し、且つ解放動程の第２の部分において可動家具部品を排出するよう、なすことができる。その構成により、先端技術におけるように、引き戻し装置のバネと排出装置の別個のバネとについて、２つの一致した圧力印加動程を提供する可能な方法をもはや見出す必要がない。
【００１０】
したがって本発明においては、本発明の正確な配置及び形態は、バネの圧力印加が１つの圧力印加動程のみを必要とし、その１つの圧力印加動程の圧力解放エネルギを、一部では引き戻しに関して、他の部分では排出に関して使用することができる限り、それ自体は任意の所望の配置及び形態であり得る。
【００１１】
しかしながら、望ましくは、バネが単一バネの形態で提供される。それは、かなりの簡便化と必要とする空間の削減とをもたらす。しかしながら、代替オプションとして、バネ束の形態であるバネの可能性は排除されるべきではない。バネ束の形態であることによって、バネ束の一部分がその圧力解放作用を、例えば排出によって特に大いに展開する一方で、バネ束の他の部分には望ましくは同時に荷重が付与され、引き戻し移動の間、圧力解放エネルギが比較的ゆっくり且つ穏やかに可動家具部品の閉塞方向に作用させられるなど、異なる適応が可能となる。バネ束の各バネが共通の圧力印加動作の間に圧力印加されることが必須であるが、その点に関して、個々のバネ又はバネ束の各部分の圧力印加の開始及び終了は異なるものとすることができる。望ましくは、バネ束の個々のバネは相互に平行な関係で接続されるようになすことができる。
【００１２】
バネに、いわば逆方向性の引き戻し及び排出移動による二重動作を可能にするために、望ましくは、バネは家具部品の閉塞位置において第１の中間バネ圧力を有し、家具部品の排出後にバネは、閉塞位置を離れた後、所定の排出間隔で第２の実質的に解放されたバネ圧力を有し、家具部品の閉塞によりバネは、閉塞位置に到達するまでに所定の引き戻し間隔で、第１のバネ圧力に関して増加した第３のバネ圧力に到達し、圧力解放及び家具部品の自動引き戻しによって第３のバネ圧力を発端として、バネは第１のバネ圧力まで解放されるようなすことができる。このように、家具部品を排出できる排出動程（第２の解放動程）は、中間バネ圧力からバネに利用できる。引き戻しにより、バネは、中間バネ圧力を上回るバネ圧力まで圧力印加され（圧力印加動程）、そして、最後の閉塞部分において、最大バネ圧力から中間バネ圧力までバネが圧力から解放される（第１の解放動程）ことによって家具部品が自動的に引っ張られる。
【００１３】
特に望ましくは、引き戻し間隔が排出間隔未満であるようになすことができる。これにより、引き戻しが比較的短い動程距離中に起こる一方、排出動程が比較的長く、排出が過度に唐突に生じない。
【００１４】
さらに特に望ましくは、圧力印加動程が解放動程の第２の部分よりも長いようになすことができる。これは特に圧力印加角度が比較的浅いときの場合であり、それによってバネは容易に、且つユーザによってほとんど気付かれることなく圧力印加される。
【００１５】
可動家具部品のアンロック又はそれに対する増加する圧迫の印加によって、可動家具部品は、さらに、閉塞位置の前に短時間だけ閉塞方向に移動されると同様に、望ましくは、排出装置のアンロックにより、バネが、第３のバネ圧力に関してわずかに増加した第４のバネ圧力を有するようになすことができる。
【００１６】
引き戻し移動を穏やか且つ滑らかに行うために、望ましくは、引き戻し装置の引き戻し移動を減衰する減衰装置が設けられる。減衰装置が家具部品の開放方向に作用するので、その反対方向に作用している引き戻し力及びロック力は、減衰装置の力を上回らなくてはならない。減衰装置は、引き戻しプロセスが過度に唐突に且つ騒々しく起きることなく、穏やかに且つ静かに起きるよう保証する。
【００１７】
構造的に簡便な方法で排出装置及び引き戻し装置の双方について単一バネを使用することを可能にするために、駆動装置が、可動家具部品の開放方向及び閉塞方向それぞれに、互いに対して移動可能な第１のベース要素及び第２のベース要素と、第１のベース要素に移動可能に、望ましくは回動可能に取り付けられた制御要素と、制御要素に作用するバネと、制御要素に対して接続されたロック要素とを有するようになし、制御要素が望ましくはロック及びアンロック経路のカージオイド状部においてロック要素によってガイドされ、第２のベース要素についての駆動要素が制御要素に配置されており、第２のベース要素が駆動要素についてのガイド経路を有し、前記ガイド経路が、第２のベース要素が駆動要素によって可動家具部品の開放方向において第１のベース要素に対して移動可能とされる排出部と、駆動要素が開放方向において自由に移動可能とされる自走部と、駆動要素が制御要素に作用するバネのバネ力に抗して移動可能とされる圧力印加部と、駆動要素がバネの部分的圧力解放によって可動家具部品の閉塞方向において第１のベース要素に対して第２のベース要素を移動させる引き戻し部と、を有し、ガイド経路の排出部が、制御要素、ロック要素及び駆動要素並びにバネとともに、ロック可能及びアンロック可能排出装置を形成し、ガイド経路の引き戻し部が、制御要素、駆動要素及び同じバネとともに、引き戻し装置を形成するようになすことができる。
【００１８】
換言すれば、バネは、家具カーカスに関する可動家具部品の排出移動及び引き戻し移動を制御する制御要素に作用する。その点に関して、第１及び第２のベース要素は、それぞれ、家具カーカス及び可動家具部品を表す。第１のベース要素は可動家具部品に対して取り付けることができ、第２のベース要素は家具カーカスに対して取り付けることができ、逆もまた同様である。さらに、その点に関して、第２のベース要素の領域に設けられるものが、制御要素が駆動要素を介して協働するガイド経路であるということが重要である。そのようなガイド経路において最も重要な部分は、排出部、圧力印加部及び引き戻し部である。
【００１９】
本発明の特に望ましい実施形態において、バネは排出部において中間バネ圧力から第２のバネ圧力まで解放され、解放されたバネ圧力は自走部では実質的に同一のまま維持され、圧力印加部において解放されたバネ圧力から増加したバネ圧力まで圧力印加され、引き戻し部において増加したバネ圧力から第１のバネ圧力まで解放されるようになすことができる。したがって、これは、個々のバネ圧力とガイド経路部との間の論理接続を明らかに示している。
【００２０】
本発明の望ましい実施形態において、制御要素が第１のベースに対して回動可能に取り付けられるようになすことができる。代替的には制御要素は、直線的に移動可能に取り付けることもできる。制御要素の移動を制限するために、望ましくは制御要素が制限突起を有し、その制限突起が、望ましくは第１のベース要素にある２つの当接部間において制御要素の移動を制限するようになすことができる。このように、制御要素は、バネの圧力印加及び圧力解放によって２つの当接部間において移動することができる。
【００２１】
排出装置のロック及びアンロック機構がまた、駆動装置に完全に一体化されることができる場合には、カージオイド状部を有するロック要素についてのロック及びアンロック経路は、第１のベース部に設けられるべきである。
【００２２】
バネの圧力印加に関して、一方では圧力印加部におけるガイド経路が、可動家具部品の閉塞によって、バネのバネ力に反する関係で駆動要素を移動させるようになすことができる。他方では、駆動要素は、可動家具部品の開放又は排出によって、バネに圧力印加する圧力印加部内に既に入ることができる。
【００２３】
駆動装置の全体が比較的コンパクトでなければならないことから、第１のベース要素及び第２のベース要素が互いに影響を及ぼすことなく自由に移動することができることが必要である。これは、引き出しのおおよそ半開放位置から引き出しの完全開放にかけて特に望ましい。しかしながら、その点に関して、駆動要素がガイド部によって領域から離れたとき且つガイド部によって再度領域に入ったときに誤ったガイド経路に入らないよう保証するためには、望ましくは、第２のベース要素が望ましくはバネ荷重式移動スイッチを有し、このスイッチにより、駆動要素の自走部から他の完全に自由な自走部内への開放移動を許容し、且つ駆動要素を、閉塞移動において他の自走部から圧力印加部内へとガイドするようになすことができる。この目的のために、例えば傾斜した偏向手段又は移動切り替えバネを設けることが可能である。
【００２４】
制御要素を、一方では引き戻し及び排出のためにガイド経路に対して、他方ではロック要素のためにロック及びアンロック経路に対して接続することを可能とするために、また、これらを連係させることを可能とするために、望ましい実施形態は、ロック要素が制御要素に対して回動可能に取り付けられるようになす。
【００２５】
バネについて最適な圧力印加動作及び引き戻し動作のために、望ましくは、排出部が開放方向に対して実質的に横断方向に延在し、自走部が実質的に開放方向に延在し、圧力印加部が開放方向に対して少なくとも５°から７０°の間、望ましくは１５°から５０°の間の角度領域を有し、引き戻し部が開放方向に対して少なくとも１３０°から１７５°の間、望ましくは１４０°から１６５°の間の角度領域を有するようになすことができる。その目的のために、ガイド経路の部分のうちの少なくとも１つが少なくとも部分的に曲線をなして延在するよう、さらになすことができる。これらの圧力印加及び解放経路の正確な形態は、可動家具部品の滑らか且つ穏やかで、迅速及び／又は容易に実施可能な手動移動をもたらすことができ、その場合、ユーザがそれに気付くことなく、全てのバネ圧力印加プロセスは、ユーザ側の手動移動によって実施される。したがって、圧力印加部の角度が小さい又は浅いほど、それに応じてより容易に圧力印加動作を実行することができる。
【００２６】
特に望ましくは、圧力印加部の曲線状は、圧力印加部と引き戻し部との間の遷移が引き戻し間隔に相当し、そこでバネが最大バネ圧力に到達するようにすることができる。その場合、圧力印加部及び引き戻し部は、バネが最も激しく圧力印加される最大地点においていわば丘を形成し、バネは、その地点を越えた後に圧力から解放され、その場合、引き戻し部に抗して駆動要素を押圧することによって可動家具部品を引き戻す。換言すれば、その丘形状は、圧力印加部及び引き戻し部が自走部から開放方向に対して横断関係に離隔されることによって説明することができ、自走部に対する圧力印加部及び引き戻し部双方の最大間隔は、所定の引き戻し間隔におけるものである。
【００２７】
本発明については、本質的には２つの可能な設計形態がある。第１の設計形態は、第１のベース要素が可動家具部品に付随し、且つ第２のベース要素がその上又はその内部に家具部品が移動可能に取り付けられる家具カーカスに付随するようなす。その実施形態においては、望ましくは、ロック要素が駆動要素と一体的に形成されるようになされる。したがって、その望ましくは一体の構成部品は、一方ではロック及びアンロック経路内で変位され、他方では駆動要素についてのガイド経路の個々の部分内で変位される。さらにその点に関して、望ましくは、バネが脚バネの形態であり、１つの脚が第１のベース要素に作用し、１つの脚が制御要素に作用するようになすことができる。
【００２８】
本発明の第２の可能な設計形態は、第１のベース要素が家具カーカスに付随し、且つ第２のベース要素が可動家具部品に付随するようになす。この実施形態においては、望ましくは、制限突起が駆動要素を形成するようになすことができる。このように制限突起は、駆動要素又は制限突起を介して排出部に制御要素のバネ力を印加し、それにより家具部品を排出するためにさらに使用される。
【００２９】
本発明にかかる駆動装置を有する引き出しの形態の可動家具部品用の引き出し延伸ガイドについて保護が請求される。その点に関して、望ましくは、本駆動装置の第２の実施形態が引き出し延伸ガイド上に配置される又は引き出し延伸ガイドに固定されるようになすことができる。その構造において、引き出し延伸ガイドは、引き出しレール及びカーカスレールを有することができ、第１のベース要素は、カーカスレール上に配置され、第２のベース要素は、引き出しレール上に配置される。
【００３０】
さらに、家具カーカス及び可動家具部品を備え、家具部品が本発明にかかる駆動装置によって引き戻す、且つ排出することができる家具品について保護が請求される。
【００３１】
本願明細書に記載された駆動装置の第１の実施形態においては、その点に関して、第１のベース要素が、可動家具部品上、望ましくは引き出し底部の下面に配置され、第２のベース要素が、家具カーカス上、望ましくは、家具カーカスに固定される引き出し延伸ガイドのカーカスレール上に配置されるようになすことができる。
【００３２】
駆動装置が第２の実施形態の形態である場合、第１のベース要素は、家具カーカス上、望ましくは、家具カーカスに固定される引き出し延伸ガイドのカーカスレール上に配置され、第２のベース要素は、可動家具部品上、望ましくは、家具部品に付随する引き出し延伸ガイドの引き出しレール上に配置される。
【００３３】
本発明のさらなる詳細及び効果は、図示された例としての実施形態を参照した具体的説明により、以下においてより完全に説明されており、図１ａから図１３ａは、駆動装置の第１の実施形態の様々な図を下方から示しており、図１ｂから図１３ｂは、上方からの駆動装置の第２の実施形態の同じ一連の図を示している。詳細は以下のとおりである。
【図面の簡単な説明】
【００３４】
【図１ａ】可動家具部品の下面に取り付けられた駆動装置を有する家具品の図を示している。
【図１ｂ】可動家具部品の下面に取り付けられた駆動装置を有する家具品の図を示している。
【図２ａ】引き出し延伸ガイド及び駆動装置の分解図を示している。
【図２ｂ】引き出し延伸ガイド及び駆動装置の分解図を示している。
【図３ａ】駆動装置とともに引き出し延伸ガイドを組み立てられた状態で示している。
【図３ｂ】駆動装置とともに引き出し延伸ガイドを組み立てられた状態で示している。
【図３ｃ】下方からの駆動装置の第２の実施形態を示している。
【図４ａ】ロック位置における駆動装置を示している。
【図４ｂ】ロック位置における駆動装置を示している。
【図５ａ】アンロック位置における駆動装置を示している。
【図５ｂ】アンロック位置における駆動装置を示している。
【図６ａ】排出時の駆動装置を示している。
【図６ｂ】排出時の駆動装置を示している。
【図７ａ】排出プロセスの終了後における駆動装置を示している。
【図７ｂ】排出プロセスの終了後における駆動装置を示している。
【図８ａ】排出後における継続した開放移動を示している。
【図８ｂ】排出後における継続した開放移動を示している。
【図９ａ】自走部を離れたときの駆動装置を示している。
【図９ｂ】自走部を離れたときの駆動装置を示している。
【図１０ａ】互いに完全に自走関係にあるベース要素の位置を示している。
【図１０ｂ】互いに完全に自走関係にあるベース要素の位置を示している。
【図１１ａ】バネの圧力印加時の駆動装置の位置を示している。
【図１１ｂ】バネの圧力印加時の駆動装置の位置を示している。
【図１２ａ】バネが完全に圧力印加された状態の駆動装置の位置を示している。
【図１２ｂ】バネが完全に圧力印加された状態の駆動装置の位置を示している。
【図１３ａ】可動家具部品の引き戻し時における駆動装置の位置を示している。
【図１３ｂ】可動家具部品の引き戻し時における駆動装置の位置を示している。
【図１４】ガイド経路に沿った対応位置によるバネ及び引き出しの力と動程の図を示している。
【図１５】排出バネの圧力印加の終了時の先端技術にかかる排出装置を示している。
【図１６】先端技術にかかる排出装置を示しており、別個の引き戻し装置が家具部品を引き戻している。
【図１７】家具フラップ用の家具駆動部を有する第３の実施形態の３次元図を示している。
【図１８】図１７の分解図を示している。
【図１９】第３の実施形態の一連の移動を側面図で示している。
【図２０】第３の実施形態の一連の移動を側面図で示している。
【図２１】第３の実施形態の一連の移動を側面図で示している。
【図２２】第３の実施形態の一連の移動を側面図で示している。
【図２３】第３の実施形態の一連の移動を側面図で示している。
【図２４】第３の実施形態の一連の移動を側面図で示している。
【図２５】第３の実施形態の一連の移動を側面図で示している。
【図２６】第３の実施形態の一連の移動を側面図で示している。
【図２７】排出及び引き戻しのためのバネを有する駆動装置の第４の実施形態の一連の移動を図式的に示している。
【図２８】排出及び引き戻しのためのバネを有する駆動装置の第４の実施形態の一連の移動を図式的に示している。
【図２９】排出及び引き戻しのためのバネを有する駆動装置の第４の実施形態の一連の移動を図式的に示している。
【図３０】排出及び引き戻しのためのバネを有する駆動装置の第４の実施形態の一連の移動を図式的に示している。
【図３１】排出及び引き戻しのためのバネを有する駆動装置の第４の実施形態の一連の移動を図式的に示している。
【図３２】排出及び引き戻しのためのバネを有する駆動装置の第４の実施形態の一連の移動を図式的に示している。
【図３３】排出及び引き戻しのためのバネを有する駆動装置の第４の実施形態の一連の移動を図式的に示している。
【図３４】排出及び引き戻しのためのバネを有する駆動装置の第４の実施形態の一連の移動を図式的に示している。
【図３５】排出及び引き戻しのためのバネを有する駆動装置の第４の実施形態の一連の移動を図式的に示している。
【発明を実施するための形態】
【００３５】
図１ａは、家具品３２の部分切り欠き３次元図を下方から示している。この場合、この家具品３２は、家具カーカス２６と、引き出しの形の３つの可動家具部品１１とを有する。これらの可動家具部品１１は、家具カーカス２６とその引き出しレール３０及びカーカスレール３１とに固定された引き出し延伸ガイド２９に移動可能に取り付けられている。この場合、引き出し底部３３の下面Ｕに配置されたものは、可動家具部品１１についての排出装置８及び引き戻し装置９の双方の形態である駆動装置１０である。この駆動装置１０は、可動家具部品１１に配置された第１のベース要素１４と、家具カーカス２６又はカーカスレール３１に配置された第２のベース要素１５とを備える。制御要素１６は、これら２つの要素１４及び１５の間において作用する。その制御要素１６は、特に適切には幅広引き出しの場合には、両側で引き戻し移動及び排出移動の同期を提供するように、同期バー３５及び同期装置３４（図１４参照）を介して、可動家具部品１１のもう一方の側において、第２の駆動装置（図示しない）に対して接続することができる。
【００３６】
図２ａは、カーカスレール３１、中央レール３７及び引き出しレール３０を備える引き出し延伸ガイド２９に対して接続された引き出し側フレーム部材３６を示している。カーカスレール３１に対する引き出しレール３０の閉塞移動を減衰するために、減衰装置１３を引き出し延伸ガイド２９に一体化することができる。下側領域に示されているのは第２のベース要素１５であり、この第２ベース要素１５が、排出部Ａを形成している上方に湾曲した排出当接部３８を形成する。その第２のベース要素１５は、カーカスレール３１に対して取り付けられている。その第２のベース要素１５上に固定されているのは、引き戻し部Ｄを有する引き戻しガイド要素３９である。移動スイッチ２５は、回動軸部材４１を介して引き戻しガイド要素３９に対して回転可能に接続されており、移動スイッチバネ４０によって作用される。湾曲した圧力印加部Ｃは、移動スイッチ２５自体に設けられている。
【００３７】
図２ａの上側領域に示されているのは、引き出し底部３３の下面Ｕに対して取り付けられた第１のベース要素１４である。その第１のベース要素１４の下面に設けられているのは、端部当接部２３及び２４を有する回動経路４３であり、この当接部間において制御要素１６が制限突起２２（ここでは図示しない）を介して回動可能である。第１のベース要素１４と制御要素１６との間に配置されているのは、脚２７及び２８を有する脚バネ１２であり、バネ１２は、第１のベース要素１４及び制御要素１６に作用する。制御要素１６上に回動可能に取り付けられているのは、一方に駆動要素２０、他方にロック要素１７を有する一体化部品であり、そのロック要素１７は、第１のベース要素１４におけるロック及びアンロック経路１９内を変位可能である。駆動要素２０は、制御要素１６に係合し、第２のベース要素１５の対応する部分Ａ、Ｃ及びＤを接触して支持する。
【００３８】
図３ａは、可動家具部品１１の一部を示しており、引き出し底部３３は、引き出しレール３０に対して取り付けられている。さらに、カーカスレール３１及び引き出し底部３３にそれぞれ固定されたベース要素１４及び１５が取り付け位置で示されており、制御要素１６は、第１のベース要素１４上の回動軸Ｓに沿って取り付けられている。駆動要素２０は、排出当接部３８（排出部Ａ）を接触して支持している。
【００３９】
図４ａは、引き出し底部３３を下方から示しており、引き出し前部ＳＦは、上側領域に破線の形で図式的に示されている。この図４ａの見える状態において、ロック要素１７は、ロック及びアンロック経路１９のカージオイド状部１８における閉塞位置ＳＳにロックされている。バネ１２は、第１の中間バネ圧力１の状態である。駆動要素２０は、引き戻しガイド要素３９と排出当接部３８との間にある。
【００４０】
図５ａにおいて、閉塞方向ＳＲにおいて引き出し前部ＳＦに対して圧迫を加えることにより、引き出しレール３０とともに引き出し底部３３はまた、カーカスレール３１に対して閉塞方向ＳＲに後方移動され、それにより、ロック突起１７は、ロック及びアンロック経路１９のカージオイド状部１８から出る。それは、駆動装置１０のアンロックをもたらす。バネ１２は、閉塞方向ＳＲにおけるさらなる圧迫の印加により、わずかに増加したバネ圧力２の状態に移る。
【００４１】
図６ａは、ロック要素１７のアンロック後に起こるものを示しており、ロック要素１７は、ロック及びアンロック経路１９のカージオイド状部１８にもはやロックされないことから、バネ１２は、脚２８を介して制御要素１６へとそのバネ力を伝えることができ、それにより制御要素１６は、第１のベース要素１４に対して回動される。その場合、制御要素１６上に配置された駆動要素２０は、第２のベース要素１５の排出当接部３８によって形成されたガイド経路２１の排出部Ａを圧迫する。結果的に、第１のベース要素１４とともに引き出し１１全体が、第２のベース要素１５に対して、それゆえにカーカスレール３１及び家具カーカス２６に対しても、開放方向ＯＲに移動する。それゆえに、駆動装置１０は排出装置８を形成し、バネ１２は、排出バネ力Ｆを加える。
【００４２】
図７ａにおいては、排出プロセスは終了し、バネ１２は第２の解放バネ圧力３まで圧力が解放されており、第１のベース要素１４に対する制御要素１６の相対移動は、当接部２４に突き当たる制限突起２２によって終わる。それゆえに、駆動要素２０が排出部Ａの終端に到達し、引き戻しガイド要素３９によって開放方向ＯＲにおいてもはや制限されないことは、図７ａからも明らかである。排出間隔ｙは、アンロックから排出部Ａの終端に到達するまで、引き出し１１によって覆われていた。
【００４３】
図８ａにおいて、駆動要素２０は自走部Ｂにあり、可動家具部品１１は、開放方向ＯＲに引き出されている。この場合、バネ１２は、解放バネ圧力４の状態である。
【００４４】
図９ａに示されているように、可動家具部品１１が開放方向ＯＲにさらに移動された場合には、駆動要素２０は、切り替えバネ４０の力に抗して移動スイッチ２５を押圧し、引き戻しガイド部材３９、それゆえに第２のベース要素１５に対して、移動スイッチ２５を回動軸部材４１上で回動又は回転させる。
【００４５】
図１０ａに示されているように、引き出し１１が開放方向ＯＲにさらに移動されて自走部Ｂの外側に出た場合には、切り替えバネ４０は、移動スイッチ２５を再度、開始位置へと引き戻す。可動家具部品１１は、ここで、可動家具部品１１を開放方向ＯＲ及び閉塞方向ＳＲに所望どおりに移動することができる完全自走部Ｅにある。バネ１２は、なおも解放バネ圧力５の状態である。移動スイッチ２５及びその圧力印加部Ｃが閉塞方向ＳＲに対して平均角度αを含み、引き戻しガイド要素３９及びその引き戻し部Ｄが閉塞方向ＳＲに対して角度βを含む旨が、第２のベース要素１５の領域においてみられる。それらの角度α及びβは、ユーザの望みに応じて最適な穏やかな引き出し移動を実施することが可能なようにすることができる。角度αが浅くなるほど、それに応じて圧力印加部Ｃが長くなり、それにより、圧力印加プロセスは、より穏やかな、且つより容易な移動で行うことができる。図１４における力と動程の図に置き換えると、より穏やかな、且つより容易な移動はまた、長く且つ比較的浅い圧力印加動程（印加される圧力の力の軌跡、印加される力の移動経路）ＳＷによって与えられる。
【００４６】
図１１ａにおいて、可動家具部品１１は、再度、閉塞方向ＳＲに移動され、駆動要素２０は、移動スイッチ２５が再度後退されるために、移動スイッチ２５の左側において圧力印加部Ｃに沿って移動する。閉塞方向ＳＲに対して傾いた圧力印加部Ｃに沿った駆動要素２０の移動に起因して、制御要素１６は、バネ１２の脚２８に抗してベース要素１４に対して押圧され、それによりバネ１２は、バネ力Ｆに抗して圧力印加され、増加するバネ圧力６が実現される。その制御要素１６の移動において、ロック要素１７はまた、カージオイド状部１８の方向にロック及びアンロック経路１９に沿って移動する。制限突起２２はまた、再度、当接部２４から当接部２３の方向に移動される。圧力印加プロセスにおける最大地点は圧力印加部Ｃの地点で到達され、その地点で自走部Ｂに対する間隔ｚが最大となる。
【００４７】
その地点は、図１２ａで到達される。この場合、バネ１２が制御要素１６の完全回動移動によって、第１のベース要素１４における当接部２３の範囲まで、圧力印加され、増加したバネ圧力７の第３の状態に到達する。その駆動要素２０の地点は、圧力印加部Ｃから引き戻し部Ｄ内への遷移を含む。
【００４８】
それに応じて、図１３ａは、引き戻し部Ｄに沿った駆動要素２０の摺動移動によってバネ１２が再度圧力から解放され、それにより、可動家具部品が閉塞方向ＳＲに家具内に引っ張られる様子を示している。したがって、駆動装置１０はまた、同じバネ１２が、制御要素１６、駆動要素２０及び引き戻し部Ｄを介して、可動家具部品１１における引き戻しモードで作用する限りは引き戻し装置９としても動作し、可動家具部品１１は、引き戻し間隔ｘを覆った後に閉塞位置ＳＳに到達する。
【００４９】
図１４は、力と動程（force-travel；力の軌跡、力の移動経路）の図を示しており、バネ１２のバネ力ＦがＹ軸にプロットされており、開放方向ＯＲ又は閉塞方向ＳＲにおける可動家具部品の動程ｓがＸ軸にプロットされている。破線は理想的な形態を示しており、実際の実施形態においては必然的に変動及び曲線を含む。可動家具部品の閉塞位置ＳＳにおける第１の中間バネ圧力１から、可動家具部品１１は、増加した圧迫の印加によって閉塞方向ＳＲにさらに移動され、その場合、バネ力は、わずかに増加したバネ圧力２まで付加的に圧力印加される。増加した圧迫の印加によってもたらされるそのアンロック作用後に、バネ１２はわずかに増加したバネ圧力２から解放され、第２の解放されたバネ圧力３までは第２の解放動程（解放される力の軌跡、解放される力の移動経路）ＥＷ２に沿って開放方向ＯＲへ家具部品１１が排出され、排出間隔ｙはその場合には覆われる。引き出し１１のさらなる開放移動中は、バネ１２のバネ力Ｆは、バネ圧力４及び５にとどまる。可動家具部品１１が閉塞されたとき、駆動装置１０の一部は、圧力印加部Ｃ内に入り（バネ１２の圧力印加動程ＳＷ）、それにより、増加するバネ圧力６に到達し、そのバネ圧力は地点７で最大地点に到達する。そのバネ圧力７からの引き戻し間隔ｘによる可動家具部品１１の引き戻しは、引き戻し部Ｃを介して、且つ最大バネ圧力７から中間バネ圧力１までの解放動程ＥＷ１に沿ったバネ力Ｆの圧力の解放によって実施される。排出間隔ｙが引き戻し間隔ｘよりも大きいことが図１４からもわかる。図１４の下側領域は、ガイド経路２１に沿った駆動要素２０の位置を示しており、バネ圧力地点１から７と実質的に一致する。
【００５０】
図１４におけるその全体の力と動程の図は、ヒステリシスシステムを形成する。換言すれば、圧力印加の原因が適用をやめた後（原因：可動家具部品の閉塞移動）、圧力印加動作において蓄積されたエネルギは、２つのステップ（引き戻し移動及び排出移動）において伝えられ、それにより、圧力印加誘導閉塞移動の停止後に圧力印加プロセスの作用の継続性が与えられる。それにより、バネ圧力５及び７の間における圧力印加動程ＳＷは、バネ圧力２及び３の間の排出動程ＥＷ２よりも長い。
【００５１】
図１ｂは、下方からの家具品３２の図を示しており、前方領域における引き出し底部３３の上面Ｕに配置されているのは、本発明にかかる駆動装置１０の第２の実施形態であり、駆動装置１０は、引き戻し装置９及び排出装置８の双方を形成している。その点に関して、同一の参照符号は、図１ａから図１３ａにおける第１の実施形態におけるものと同じ要素を示している。したがって、図１ｂにおいて、（回動可能な制御要素１６を備えた）第１のベース要素１４は、カーカス２６又はカーカスレール３１に対して取り付けられているとともに、第２のベース要素１５は、引き出しレール３０に対して取り付けられている。
【００５２】
図２ｂは、引き出し延伸ガイド２９の分解図を示しており、減衰装置１３は、カーカスレール３１と引き出しレール３０との間において動作する。当然のことながら、第１の実施形態においても、そのような減衰装置１３は、同様に又は同じ方法で使用することができる。第１の実施形態とは異なり、第２のベース要素１５は、引き出しレール３０に固定されており、舌バネの形態で垂直方向バネ荷重式移動スイッチ２５を有する。第１のベース要素１４は、カーカスレール３１に対して取り付けられており、その下面に制御要素１６を有する。制御要素１６は回動軸Ｓに回動可能に取り付けられ、且つ制限突起２２を介して当接部２３及び２４の間に制限付きでの回動が可能に、取り付けられている。それと同時に、制限突起２２は、第２のベース要素１５についての駆動要素２０を形成するとともに、その下面（図３ｃ参照）には、制限突起２２／駆動要素２０が係入するガイド経路２１（まだ図示していない）が設けられている。制御要素１６は、コイルバネ１２によって作用され、前方領域に回動可能に取り付けられたロック要素１７を有し、このロック要素１７が第１のベース要素１４の下面（図３ｃ参照）においてロック及びアンロック経路１９に係入する。
【００５３】
図３ｂは、引き出し延伸ガイド２９とそれに対して取り付けられた駆動装置１０を組み立てられた状態で示している。
【００５４】
これに対応して、図３ｃは、駆動装置１０の下方からの図を示しており、圧力印加部Ｃの方向に駆動要素２０を偏向する移動スイッチ２５の傾斜した偏向部４２を示している。本発明の代替構成として、図３ｃは、破線において、制御要素１６に付加的に作用することができるバネ束を形成する第２のバネ１２ａを示している。そのそれぞれの形態及び配置に応じて、バネ束は、例えば主として引き戻し又は排出によってその効果を展開することができ、それゆえに、それぞれ補助されているプロセスを改善することができ、それゆえに、動きに関してより容易にすることができる。
【００５５】
本駆動装置１０の第１の実施形態と比較して、図４ｂから図１３ｂは、各図の下側領域において、破線で図示された引き出し前部を示している。さらに、図４ｂから図１３ｂは、図４ａから図１３ａと対照的に、駆動装置１０上の上方からの図を示している。
【００５６】
図４ｂにおいて、ロック要素１７は、ロック及びアンロック経路１９のカージオイド状部１８における閉塞位置ＳＳにある。バネ１２は、中間バネ圧力１の第１の状態にある。
【００５７】
ロック要素１７は、閉塞方向ＳＲにおいて引き出し１１に対して増加した圧迫を印加することによってアンロックされ、バネ１２は、わずかに増加したバネ圧力２の状態にある（図５ｂ参照）。
【００５８】
図６ｂにおいて、引き出しレール３０は、駆動要素２０を介して第２のベース要素１５におけるガイド経路２１及びその排出部Ａによって排出され、駆動要素２０は、バネ力Ｆの方向におけるバネ１２の解放によって当接部２４の方向に制限突起２２の回動可能経路４３内を移動される。それゆえに、バネ１２は、排出装置８として機能する駆動装置１０についての力発生装置としての役割を果たす。
【００５９】
図７ｂにおいて、バネ１２は、解放されたバネ圧力３の状態に到達し、駆動要素２０は、ガイド経路２１の自走部Ｂに到達する。
【００６０】
その領域において、可動家具部品１１又は第２のベース要素１５は、開放方向ＯＲに自由に移動することができる一方で、バネ１２は、解放されたバネ圧力４にさらに置かれる（図８）。駆動要素２０が移動スイッチ２５に沿って摺動する場合、移動スイッチ２５は、駆動要素が図９ｂにおける位置から図１０ｂにおける他の自走部Ｅへと入るように、バネ力Ｆに抗して垂直上方向に付勢される。圧力印加部Ｃ及び引き戻し部Ｄについての望ましい角度α及びβが図１０ｂに示されている。
【００６１】
閉塞方向における家具部品１１の移動により（図１１ｂ参照）、駆動要素２０は、傾斜した偏向部４２によって圧力印加部Ｃ内に偏向され、それにより、制御要素１６は、バネ１２のバネ力Ｆの作用（増加するバネ圧力６）に抗して回動する。
【００６２】
図１２ｂにおいて、駆動要素２０は、最大地点又は圧力印加部Ｃと引き戻し部Ｄとの間の遷移に到達し、その場合、駆動要素２０／制限突起２２は、回動可能経路４３の当接部２３に同時に到達し、バネ１２は、第３の最大バネ圧力７に到達する。それと同時に、引き出しレール３０上の突起４４もまた、減衰装置１３に接触して突き当たる。ガイド経路２１は、部分Ｃの間の遷移において、約４０°から８０°の間、望ましくは５０°から７０°の間を通して「ねじれる」。
【００６３】
圧力印加部Ｃの最大地点が過ぎるとすぐに、駆動要素２０は、引き戻し部Ｄが影響する領域に入る。この領域ではバネ１２は、制御要素１６の回動移動にともない収縮し、その場合、第１のベース要素１４に対して閉塞方向ＳＲに第２のベース１５を移動する。その場合、この移動は減衰装置１３によって減衰することができる。それゆえに、この第２の実施形態においては、且つ図１３ｂに示されるように、バネ１２はまた、引き戻し装置９の機能を引き受ける駆動装置１０についての引き戻し力として作用する。
【００６４】
国際公開第２００７／０２８１７７号に開示されたような別個に設けられた排出装置８及び引き戻し装置８の先端技術を示している図１５及び図１６は、本説明の導入部において既におおよそ説明されている。
【００６５】
進んで図１７は、本発明にかかる駆動装置１０の第３の実施形態を示しており、家具フラップ（図示しない）についての家具駆動部５１の一部である。この場合、駆動装置１０及び接続装置５４は、家具フラップについての（例えば国際公開第２０１１／０２０１３０号又は独国実用新案第２０  ２００５  ０２１  ５４１号からみることができるように）それ自体公知である制御アーム構造に一体化されており、この制御アーム構造が、取り付けプレート６２に固定されている。
【００６６】
図１８は、図１７の分解図を示しており、全ての必須構成部品が参照符号によって示されている。例えば接続ボルト又は同種のもの等のいくつかの補助的構成部品は、いかなる参照も有していない。しかしながら、動作原理の説明は、たとえそれらの構成要素を参照によって直接明記しなくても可能である。制御アーム５２は、図１７及び図１８の双方において閉塞位置で示されている。
【００６７】
図１９から図２６は、家具カーカス及び家具フラップ（可動家具部品）を有しない家具駆動部５１を示している。この家具駆動部５１は、取り付けプレート６２を介して家具カーカス２６の側壁に固定されており、制御アーム構造及び制御アーム５２を介して家具フラップを移動する。望ましくは、その家具フラップは、水平回動軸まわりに回動可能とされる。
【００６８】
図１９において、制御アーム５２（それゆえに図示されていない家具フラップもまた）は、閉塞位置ＳＳにある。その場合、始動要素５３は、制御アーム５２を接触して又は家具フラップ自体を接触して支持している。その始動要素５３は、取り付けプレート６２に対して動かない回動軸７０を介して伝達機構５５に対して、この場合には一体的に、接続されている。バネ７１（引張バネ）は、伝達機構５５が時計回り方向において常に回動軸７０まわりに移動しようとするように、伝達機構５５に作用する。伝達機構５５はその端部において、接続ピン１７ｉを介してアンロック要素１７ｈに対して接続されている。そのアンロック要素１７ｈは、排出回動軸５４ｅまわりに回動可能とされる。関節レバーの部品１７ｇもまた、排出回動軸５４ｅまわりに回動可能とされる。その部品１７ｇの他端は、関節レバーピン１７ｊを介してロックレバー１７ａに対して接続されている。１７ｊ、１７ｇ及び１７ａは、ともに関節レバーを形成している。関節レバーピン１７ｊの周囲に巻かれているのはロックバネ１７ｄであり、関節レバーピン１７ｊを排出回動軸５４ｅ及び保持ノーズピン１７ｋに対して上方に付勢しようとする。図１９において、関節レバーピン１７ｊは、排出回動軸５４ｅと保持ノーズピン１７ｋとの間の概念線のわずかに上方にある。関節レバーピン１７ｊの上方へのさらなる移動は、ロック突起１７ｅを接触して支持しているロックレバー１７ａの保持ノーズ１７ｂによって防止される。そのロック突起１７ｅは、圧力印加カム５４ｄ上に配置されている。圧力印加カム５４ｄは、一方では保持ノーズピン１７ｋを介してロックレバー１７ａに対して、他方では圧力印加カム回動軸５４ｆを介して接触レバー５４ａに対して接続されている。そのレバー５４ａは、排出回動軸５４ｅまわりに回動可能に取り付けられている。さらに、レバー５４ａは、排出ピン５４ｇを介して接続レバー５４ｂに対して接続されている。レバー５４ｂは、接続ピン５４ｃを介してレバー機構５７の要素５６に対して接続されており、それにより、要素５６及びレバー５４ａの移動は、絶えず対応している。
【００６９】
バネ１２（圧縮バネ）は一端において、取り付け要素１０ｍを介して取り付けプレート６２に対して固定的に接続されている。他端においては、バネ１２はガイド突起１０ｎに対して接続されており、ガイド突起１０ｎは、取り付けプレート６２におけるガイド経路１０ｋ内にガイドされる。さらにバネ１２は、排出レバー１０ａに対してガイド突起１０ｎを介して接続されており、排出レバー１０ａは、取り付けプレート６２に対して接続された固定回動軸１０ｇまわりに回動可能とされる。右側下端において、排出レバー１０ａは加圧ローラ１０ｂを有し、この加圧ローラ１０ｂが接触レバー５４ａと圧力印加カム５４ｄとの間のわずかに内側に変位した領域に接触している。その閉塞位置ＳＳにおいて、バネ１２の力は、加圧ローラ１０ｂを介して圧力印加カム５４ｂを圧迫する。さらなる結果としての力が保持ノーズピン１７ｋを介してロックレバー１７ａに加えられることから、関節レバーピン１７ｊは、ロック突起１７ｅに抗した保持ノーズ１７ｂの当接によって許容されるまで、閉塞位置ＳＳにおいて上方に付勢される。
【００７０】
ここで、図２０に示されるように、圧迫が閉塞方向ＳＲにおいて家具フラップ又は制御アーム５２に加えられた場合、始動要素５３もまた、閉塞方向ＳＲに付勢され、伝達機構５５は、バネ７１の力に抗して回動軸７０まわりに回動され、それにより、さらなる結果として、アンロック要素１７ｈが、接続ピン１７ｉを介して反時計回り方向において排出回動軸５４まわりに移動される。結果として、アンロック要素１７ｈは、関節レバーの後方部分１７ｇと当接し、それにより、排出回動軸５４ｅと保持ノーズピン１７ｋとの間の概念線の下方に関節レバーピン１７ｊが移動する。それもまた、ロックバネ１７ｄの力に抗して起こる。関節レバーピン１７ｊが概念線の下方に下がるとすぐに、開放バネ１２のバネ力は、もはや加圧ローラ１０ｂ及び圧力印加カム５４ｄを介してロックレバー１７ａ及び保持ノーズ１７ｂにロックするように作用せず、バネ１７ｄの力に抗して関節レバーを曲げる。参照符号１７ａ、１７ｂ、１７ｄ、１７ｅ、１７ｇ、１７ｈ、１７ｉ、１７ｊ及び１７ｋによって識別される部品は、ともに、最初の２つの実施形態のロック要素１７に相当するロック装置１７を形成する。
【００７１】
アンロック作用に起因して、関節レバーは図２１に示された完全に内側に変位した位置に入る。この際、関節レバーピン１７ｊが明らかに排出回動軸５４ｅと保持ノーズピン１７ｋとの間の概念線の下方にある。関節レバーの内側方向への移動と同時に、圧力印加カム５４ｄ及び排出レバー５４ａの各左側端縁（カム面）が正確に上下になって支持するようになり、且つ図の示された地点から互いに覆うように、圧力印加カム５４ｄもまた、時計回り方向において圧力印加カム回動軸５４ｆまわりに回動される。圧力印加カム５４ｄの内側への回動移動と同時に、加圧ローラ１０ｂもまた、バネ１２の圧力解放により転がりはじめ、それにより、排出レバー５４ａは、反時計回り方向に排出回動軸５４ｅまわりに回転される。
【００７２】
結果として、図２２に示されるように開放位置ＯＳに到達する。制御アーム５２が開放角度γで示されている。その開放移動は、接続レバー５４ｂがレバー５４ａの回動移動によって移動され、且つレバー機構５７の要素５６の回動移動が始動されることによってもたらされる。その要素５６の回動移動に起因して、さらなる結果として、レバー機構５７のレバー６５は右方に移動され、制御アーム５２は、家具フラップとともに開放する。図２２において、主バネ５９は、図２１と比較して、圧力から既に若干解放されている。排出移動は、主機構（主バネ５９を有する制御アーム構造）におけるデッドポイントを越えた移動を含む。減衰装置１３は、もはやレバー機構５７のレバー７２を接触して支持しない。戻りバネ７１のおかげで、伝達機構５５は、再度、回動軸７０まわりに回動し、それにより、始動要素５３は、アンロック要素１７ｈと同様に、再度、開始位置に移動される（図１９におけるように）。図２２において、参照符号１０ａ、１０ｂ、１０ｇ、１０ｋ、１０ｍ、１０ｎ及び１２によって示される部品は、排出装置８及び引き戻し装置９として機能することができる駆動装置１０を形成する。
【００７３】
バネ１２が完全に圧力から解放された後（図２２におけるように）、家具フラップは、手動で開放方向ＯＲにさらに移動される。そのさらなる移動において、ここではバネ１２によって排出レバー１０ａ及びその加圧ローラ１０ｂを介して圧力印加カム５４ｄに作用するバネ力Ｆはないことから、ロックバネ１７ｄは、圧力から解放されることができ、図２３に示された位置に関節レバーを付勢する。その場合、関節レバーピン１７ｊは、再度、排出回動軸５４ｅと保持ノーズピン１７ｋとの間の概念線の上方にあり、ロックノーズ１７ｂは、ロック突起１７ｅを接触して支持する。
【００７４】
ここで、家具フラップが開放方向ＯＲにさらに移動された場合（図２４参照）、圧力印加カム５４ｄは加圧ローラ１０ｂとの係合から外れ、完全開放位置に到達する。
【００７５】
図２５において、可動家具部品１１（家具フラップ）は、閉塞方向ＳＲに移動され、バネ１２の圧力印加が開放角度領域Δにおいてはじまる。圧力印加は、ロックレバー１７ａ及び保持ノーズ１７ｂによってロックされる圧力印加カム５４ｄが圧力印加部Ｃを介して加圧ローラ１０ｂを接触して支持することによって、且つバネ１２が排出レバー１０ａを介して押し込まれ、それによって圧力印加されることによってはじまる。
【００７６】
その圧力印加は、加圧ローラ１０ｂが圧力印加カム５４ｄにおける最大地点に到達して、引き戻し部Ｅに入るまで継続する。その引き戻し部Ｅへの到達により、バネ１２は、圧力からわずかに解放されることができ（図２６から図１９までの移動）、それにより、最後の閉塞部分において可動家具フラップを能動的に引っ張る。換言すれば、圧力印加カム５４ｄの最大地点を越える移動のおかげで、接続レバー５４ｂは、引き戻し効果が制御アーム５２に加えられるように、時計回り方向において排出回動軸５４ｅまわりに能動的に回転される。しかしながら、この圧力の解放は、加圧ローラ１０ｂが圧力印加カム５４ｄと接続レバー５４ｂとの間の窪みに入るまでのみに起こるということに留意すべきである。図１９に示される閉塞位置ＳＳは、再度そのように到達される。引き戻し移動において、減衰装置１３はまた、バネ１２によって始動される引き戻し移動のわずかな減衰を可能にすることができる。
【００７７】
同期バーは望ましくは、家具カーカス２６の他側における鏡対称レバー機構に対して回転移動を伝達するように、排出回動軸５４ｅの領域に固定することができる。
【００７８】
本発明の第４の実施形態が図２７から図３５に示されている。これらの図は、可動家具部品１１の閉塞、引き戻し及び排出による駆動装置１０における一連の移動を単に図示的に示している。全ての図において、可動家具部品１１のうち、可動家具部品１１に付随する引っ張り部材４４のみが示されている。
【００７９】
図２７は、ちょうどロック要素１７に突き当たったときの可動家具部品の閉塞における引っ張り部材４４を示している。ロック要素１７は、家具カーカス２６に対して移動可能に取り付けられている。ロック要素１７上に置かれているのは、ロック及びアンロック経路１９内を移動する制御要素１６である。ロック及びアンロック経路１９は、カージオイド状部１８を有する。ロック及びアンロック経路１９は、家具カーカス２６に対して動かない。ロック要素１７は、一端においてバネ１２（引張バネ）に対して接続されている。そのバネは、減衰装置１３（ラック及びギアを有する回転ダンパ）を介して接続されており、その回転ダンパは、一端においてロックスライダ４６に対して接続されている。ロックスライダ４６は、ロック突起４５及び４８を介して、その各位置にしたがって保持経路４７内に保持されているか又はその内部で変位可能とされている。保持経路４７は、家具カーカス２６に対して動かない。
【００８０】
ここで、可動家具部品１１及びそれとともに引っ張り部材４４は、閉塞方向ＳＲにおいて図２７における位置から図２８における位置へと移動され、バネ１２は、圧力印加される又は荷重がかけられる。
【００８１】
閉塞方向におけるさらなる移動により（図２９）、制御要素１６は、ロック及びアンロック経路１９によって偏向され、制御要素１６は、ロック及びアンロック経路１９のカージオイド状部１８においてロック位置（図３０）へと移動する。制御要素１６がロック位置に入ると、引っ張り部材４４は、ロック要素１７との係合を外れ、ロックスライダ４６の捕捉要素４９の間を通過する。可動家具部品１１及びそれゆえに引っ張り部材４４が閉塞方向ＳＲにさらに移動されるのにともない、ロックスライダ４６（特にその第１のロック突起４５）は、保持経路４７におけるロック位置（図２９参照）から出て、アンロック位置（図３０参照）へと移動される。そのアンロックのおかげで、バネ１２の右側端部は、もはやロックスライダ４６によってロックされておらず、バネ１２は収縮することができ、それにより、バネ１２は、引っ張り部材４４それゆえに可動家具部品を図３０に示される位置から図３１における閉塞位置ＳＳへと移動する／引き戻す。それゆえに、その領域において、駆動装置１０は、引き戻し装置９として機能し、バネ１２は、その解放動程の第１の部分ＥＷ１の間、引き戻し作用を有する。バネ１２の引き戻し移動は、減衰装置１３によって減衰される。
【００８２】
その引き戻し移動は、ロックスライダ４６及びその第２のロック突起４８が図３１におけるロック位置に到達するまでもたらされる。その位置においては、引っ張り部材４４は、捕捉要素４９の間になおも捕捉されているが、それと同時に、ロック要素１７の左側の制限当接部５０を接触して支持する。
【００８３】
ここで、図３２に示されるような場合、閉塞位置ＳＳにおいて駆動装置１０の始動が起こるとき、圧迫が閉塞方向ＳＲにおいて可動家具部品にさらに加えられる。引っ張り部材４４の移動のおかげで、可動家具部品に対する増加した圧迫の左方への印加のために、制限当接部５０及びそれとともにロック要素１７は、左方へと移動される。結果として、一方では、制御要素１６は、ロック及びアンロック経路１９のカージオイド状部１８からその自走部へと移動する。他方では、ロックスライダ４６もまた、この場合、保持経路４７の適切な設計形態の結果としての回動移動によって、引っ張り部材４４が解放される位置へと移動する。
【００８４】
バネ１２の解放のおかげで、ロック要素１７、その制限突起５０を介して引っ張り部材４４、それによって可動家具部品１１は、能動的に排出されて図３３に示される位置に到達する。したがって、その領域において、駆動装置１０は、排出装置８としての役割を果たし、それにより、バネ力Ｆは、解放動程の第２の部分ＥＷ２において可動家具部品１１の排出に役立つ。
【００８５】
引っ張り部材４４が図３３に示される位置に到達した後、バネ１２は、圧力から完全に解放され、可動家具部品１１は、手動で開放方向ＯＲにさらに移動することができる。
【００８６】
引っ張り部材４４が、その移動において、ロック要素１７の右側の制限当接部５０ａ（図３４参照）に到達するとすぐに、減衰装置１３は圧力印加され、ロックスライダ４６は、図３５に示されるロック位置に到達する。保持経路４７及びロックスライダ４６の形態は、図において図式的に示されているのみであるが、家具駆動の分野における当業者によって適切な回動経路又はロック部を設けることができる。引っ張り部材４４は右側の制限当接部５０ａから、傾斜した偏向部のおかげで又は適切な力の印加によって、ロック要素１７を下方に押圧することにより（図２９と同様に）、ロック要素１７の右側上へと通過することができ、それにより、図２７に示される開始位置に、再度到達される。
【００８７】
原理上は、この第４の実施形態に関して、駆動装置１０はまた、可動家具部品１１に付随させることもでき、それとは対照的に、引っ張り部材４４を、家具カーカス２６に付随させることができる。減衰装置１３は、回転ダンパの形である必要はなく、例えば流体ダンパの形とすることもできる。しかしながら、減衰装置１３は、省略することもでき、その場合は、バネ１２のバネ力Ｆは、非減衰的に可動家具部品１１に作用する。
【００８８】
それゆえに、本発明の全ての実施形態は、先端技術に対して実質的に改善され且つ簡便化された駆動装置１０であって、排出装置８及び引き戻し装置９の双方の形である駆動装置１０を示しており、同じバネ１２が、引き戻し及び排出についての各力蓄積手段として機能する。当然のことながら、平行である、又は駆動要素２０において異なる方向に作用する２つのバネ１２、１２ａが駆動装置１０に設けられる可能性は除外されるべきではない。最も重要なことは、この少なくとも１つのバネ１２が、その解放動程の部分ＥＷ１の間は、引き戻しに役立ち、その解放動程のさらなる部分ＥＷ２の間は、排出に役立つということである。各構造によっては、最大バネ圧力７から中間バネ圧力１までのバネ解放動程ＥＷ１が排出に役立ち、中間バネ圧力１から解放されたバネ圧力３までの他の圧力解放ＥＷ２が引き戻しに役立つ可能性もまた除外されるべきではない。
【図１ａ】
0005964290.tif 000002
【図１ｂ】
0005964290.tif 000003
【図２ａ】
0005964290.tif 000004
【図２ｂ】
0005964290.tif 000005
【図３ａ】
0005964290.tif 000006
【図３ｂ】
0005964290.tif 000007
【図３ｃ】
0005964290.tif 000008
【図４ａ】
0005964290.tif 000009
【図４ｂ】
0005964290.tif 000010
【図５ａ】
0005964290.tif 000011
【図５ｂ】
0005964290.tif 000012
【図６ａ】
0005964290.tif 000013
【図６ｂ】
0005964290.tif 000014
【図７ａ】
0005964290.tif 000015
【図７ｂ】
0005964290.tif 000016
【図８ａ】
0005964290.tif 000017
【図８ｂ】
0005964290.tif 000018
【図９ａ】
0005964290.tif 000019
【図９ｂ】
0005964290.tif 000020
【図１０ａ】
0005964290.tif 000021
【図１０ｂ】
0005964290.tif 000022
【図１１ａ】
0005964290.tif 000023
【図１１ｂ】
0005964290.tif 000024
【図１２ａ】
0005964290.tif 000025
【図１２ｂ】
0005964290.tif 000026
【図１３ａ】
0005964290.tif 000027
【図１３ｂ】
0005964290.tif 000028
【図１４】
0005964290.tif 000029
【図１５】
0005964290.tif 000030
【図１６】
0005964290.tif 000031
【図１７】
0005964290.tif 000032
【図１８】
0005964290.tif 000033
【図１９】
0005964290.tif 000034
【図２０】
0005964290.tif 000035
【図２１】
0005964290.tif 000036
【図２２】
0005964290.tif 000037
【図２３】
0005964290.tif 000038
【図２４】
0005964290.tif 000039
【図２５】
0005964290.tif 000040
【図２６】
0005964290.tif 000041
【図２７−３５】
0005964290.tif 000042